(57)【要約】【課題】構成を複雑にすることなくソフトウェアのアップデートを実行すること。【解決手段】１つの態様において、通信システム１は、アクセサリ機器（第１の電子機器）３０と、携帯電話機（第２の電子機器）２０とを含む。アクセサリ機器３０は、ソフトウェアを記憶する記憶部と、携帯電話機２０と無線通信により通信を行う通信部（第１の通信部）６ｂと、ソフトウェアをアップデートするためのアップデートデータを管理するサーバ５０と無線通信を介して通信を行う通信部（第２の通信部）６ａとを備える。携帯電話機２０は、アクセサリ機器３０と無線通信により通信を行う通信部（第３の通信部）６ｂを備える。アクセサリ機器３０は、通信部６ｂによって携帯電話機２０から要求を受信した場合に、通信部６ａによってサーバ５０からアップデートデータを受信し、当該アップデートデータを用いてソフトウェアをアップデートする。【選択図】図１
2014115717.tif 000002
【特許請求の範囲】
【請求項１】
第１の電子機器と、第２の電子機器とを含む通信システムであって、
前記第１の電子機器は、
ソフトウェアを記憶する記憶部と、
前記第２の電子機器と無線通信により通信を行う第１の通信部と、
前記ソフトウェアをアップデートするためのアップデートデータを管理するサーバと無線通信を介して通信を行う第２の通信部と、
を備え、
前記第２の電子機器は、
前記第１の電子機器と無線通信により通信を行う第３の通信部
を備え、
前記第１の電子機器は、前記第１の通信部によって前記第２の電子機器から要求を受信した場合に、前記第２の通信部によって前記サーバから前記アップデートデータを受信し、当該アップデートデータを用いて前記ソフトウェアをアップデートする通信システム。
【請求項２】
前記第２の電子機器は、前記サーバと無線通信を介して通信を行う第４の通信部をさらに備え、
前記第２の電子機器は、
前記第４の通信部によって前記ソフトウェアのアップデートの要否に関する問い合わせを前記サーバに行い、
前記ソフトウェアのアップデートが必要であることを示す応答を前記サーバから受信した場合に、前記第３の通信部により、前記要求を前記第１の電子機器に送信する請求項１に記載の通信システム。
【請求項３】
前記第２の電子機器は、
報知部と、
操作部と、
をさらに備え、
前記第２の電子機器は、
前記応答を前記サーバから受信した場合に、前記ソフトウェアのアップデートが必要であることを前記報知部により報知し、
前記ソフトウェアのアップデートの実行を指示する操作が前記操作部によって受け付けられた場合に、前記要求を前記第１の電子機器に送信する請求項２に記載の通信システム。
【請求項４】
前記第１の電子機器は、前記ソフトウェアをアップデートした結果を前記第２の通信部によって前記第２の電子機器に送信し、
前記第２の電子機器は、前記結果を前記報知部によって報知する請求項３に記載の通信システム。
【請求項５】
前記第１の電子機器は、前記要求を受信した場合に前記第２の通信部を動作させ、前記ソフトウェアをアップデートした後に前記第２の通信部を停止させる請求項１から４のいずれか１項に記載の通信システム。
【請求項６】
前記第１の通信部は、近距離無線通信を行う請求項１から５のいずれか１項に記載の通信システム。
【請求項７】
電子機器に記憶されるソフトウェアのアップデート方法であって、
第１の通信部によって、当該電子機器と組み合わせて利用される通信機器から要求を受信するステップと、
前記要求を受信した場合に、前記ソフトウェアをアップデートするためのアップデートデータを管理するサーバから、第２の通信部によって前記アップデートデータを受信するステップと、
受信した前記アップデートデータを用いて前記ソフトウェアをアップデートするステップと、
を含むアップデート方法。
【発明の詳細な説明】
【技術分野】
【０００１】
本出願は、通信システム及びアップデート方法に関する。
【背景技術】
【０００２】
携帯電話及びスマートフォン等の電子機器には、サーバからアップデートデータをダウンロードし、電子機器に導入されているソフトウェアをアップデートするものがある（例えば、特許文献１）。
【先行技術文献】
【特許文献】
【０００３】
【特許文献１】特開２００１−５３８８２号公報
【発明の概要】
【発明が解決しようとする課題】
【０００４】
ところで、電子機器に導入されているソフトウェアをアップデート可能にする場合、利用者が望まないアップデートの実行を避けたり、アップデートの進行状況を利用者に知らせたりするためのユーザーインターフェースを提供する構成等が求められることが多い。しかしながら、このような構成を、ソフトウェアをアップデートする電子機器毎に設けると、電子機器の構成が複雑になる恐れがある。このような理由から、構成を複雑にすることなくソフトウェアのアップデートを実行することができる通信システム及びアップデート方法に対するニーズがある。
【課題を解決するための手段】
【０００５】
１つの態様に係る通信システムは、第１の電子機器と、第２の電子機器とを含む通信システムであって、前記第１の電子機器は、ソフトウェアを記憶する記憶部と、前記第２の電子機器と無線通信により通信を行う第１の通信部と、前記ソフトウェアをアップデートするためのアップデートデータを管理するサーバと無線通信を介して通信を行う第２の通信部と、を備え、前記第２の電子機器は、前記第１の電子機器と無線通信により通信を行う第３の通信部を備え、前記第１の電子機器は、前記第１の通信部によって前記第２の電子機器から要求を受信した場合に、前記第２の通信部によって前記サーバから前記アップデートデータを受信し、当該アップデートデータを用いて前記ソフトウェアをアップデートする。
【０００６】
１つの態様に係るアップデート方法は、電子機器に記憶されるソフトウェアのアップデート方法であって、第１の通信部によって、当該電子機器と組み合わせて利用される通信機器から要求を受信するステップと、前記要求を受信した場合に、前記ソフトウェアをアップデートするためのアップデートデータを管理するサーバから、第２の通信部によって前記アップデートデータを受信するステップと、受信した前記アップデートデータを用いて前記ソフトウェアをアップデートするステップと、を含む。
【図面の簡単な説明】
【０００７】
【図１】図１は、第１の実施形態に係るアップデート方法の例を示す図である。
【図２】図２は、携帯電話機のブロック図である。
【図３】図３は、アクセサリ機器のブロック図である。
【図４】図４は、図１に示したアップデート方法における携帯電話機の処理手順の例を示すフローチャートである。
【図５】図５は、図１に示したアップデート方法におけるアクセサリ機器の処理手順の例を示すフローチャートである。
【図６】図６は、第２の実施形態に係るアップデート方法の例を示す図である。
【図７】図７は、図６に示したアップデート方法における携帯電話機の処理手順の例を示すフローチャートである。
【図８】図８は、図６に示したアップデート方法におけるアクセサリ機器の処理手順の例を示すフローチャートである。
【発明を実施するための形態】
【０００８】
本出願に係る通信システム及びアップデート方法を実施するための実施形態を、図面を参照しつつ詳細に説明する。
【０００９】
（第１の実施形態）
図１は、第１の実施形態に係るアップデート方法の例を示す図である。図１に示す通信システム１は、携帯電話機２０及びアクセサリ機器３０を含む。携帯電話機２０及びアクセサリ機器３０は、通信機能を有する電子機器（通信機器）である。携帯電話機２０及びアクセサリ機器３０は、公衆回線（キャリア回線）ネットワーク９０を介してサーバ５０に接続可能に構成される。
【００１０】
アクセサリ機器３０は、他の電子機器と組み合わせて利用される電子機器である。アクセサリ機器３０は、例えば、対応する電子機器の機能の一部を代行する。アクセサリ機器３０は、例えば、対応する電子機器に対して、対応する電子機器がもたない機能を提供する。アクセサリ機器３０は、例えば、対応する電子機器に関連する情報を、音、振動、光、画面表示等により利用者に報知する。アクセサリ機器３０は、例えば、対応する電子機器に記憶されている音楽、画像、動画等のデータを再生する。本実施形態において、アクセサリ機器３０は、携帯電話機２０と組み合わせて利用される。
【００１１】
携帯電話機２０及びアクセサリ機器３０は、通信部６ａを有する。携帯電話機２０及びアクセサリ機器３０は、通信部６ｂをさらに有する。
【００１２】
通信部６ａは、中継器を介して他の通信機器と通信を行うことができるように構成されている。中継器とは、一の通信機器から受信した通信用の信号を他の通信機器へ送信（転送）する装置である。中継器は、受信した信号を他の通信機器へ送信する際に、通信媒体、プロトコル、伝送方式等を受信元と送信先の間で変換してもよい。中継器は、例えば、通信キャリアの基地局、無線ＬＡＮの基地局（アクセスポイント）、ルータ（ネットワークスイッチ）、交換器等を含むが、これに限定されない。通信部６ａは、携帯電話機２０又はアクセサリ機器３０の移動に応じて、通信を仲介する中継器を他の中継器に切り替えてもよい。
【００１３】
本実施形態において、中継器は、基地局９１である。基地局９１は、通信キャリアの基地局である。携帯電話機２０及びアクセサリ機器３０の通信部６ａは、基地局９１との無線通信を介して、公衆回線（キャリア回線）ネットワーク９０に接続される。図１に示した例においては、１台の基地局９１のみが図示されているが、基地局９１の数は２以上であってよい。携帯電話機２０の通信部６ａの通信を中継する基地局９１は、アクセサリ機器３０の通信部６ａの通信を中継する基地局９１と異なってもよい。
【００１４】
通信部６ｂは、中継器を介さずに他の通信機器と通信を行うことができるように構成されている。本実施形態において、通信部６ｂは、近距離無線通信により他の通信機器と通信を行う。
【００１５】
サーバ５０は、アップデートデータを管理する。アップデートデータは、ソフトウェアをアップデートするためのデータである。アップデートデータによってアップデートされるソフトウェアは、例えば、ファームウェア、オペレーティングシステム、アプリケーションプログラム、及び設定データを含むが、これに限定されない。サーバ５０は、アップデートデータを、アップデートされるソフトウェアを識別するための識別情報と、アップデート後のソフトウェアの新しさを示すバージョン情報とに対応付けて記憶する。バージョン情報は、例えば、バージョン番号、又は更新日である。
【００１６】
サーバ５０は、アップデートに関する問い合わせを受け付ける。アップデートに関する問い合わせは、例えば、アップデートされるソフトウェアを識別するための識別情報を含む。この場合、サーバ５０は、識別情報によって識別されるソフトウェアに対応する最新のアップデートデータのバージョン情報を取得し、取得したバージョン情報を問い合わせ元へ応答する。問い合わせ元は、応答されたバージョン情報を導入済みのソフトウェアの新しさを示すバージョン情報と比較することにより、ソフトウェアのアップデートの要否を判定できる。
【００１７】
アップデートに関する問い合わせは、アップデートされるソフトウェアを識別するための識別情報と、導入済みのソフトウェアのバージョン情報とを含んでもよい。この場合、サーバ５０は、識別情報によって識別されるソフトウェアに対応する最新のアップデートデータのバージョン情報を取得し、取得したバージョン情報を問い合わせに含まれるバージョン情報と比較する。そして、サーバ５０は、取得したバージョン情報よりも問い合わせに含まれるバージョン情報の方が古ければ、ソフトウェアのアップデートが必要であることを示す応答を送信し、さもなければ、ソフトウェアのアップデートが不要であることを示す応答を送信する。
【００１８】
サーバ５０は、アップデートに関する問い合わせに対する応答に、最新のアップデートデータに関する情報を含めてもよい。最新のアップデートデータに関する情報には、例えば、変更事項に関する情報、注意すべき事項に関する情報が含まれる。
【００１９】
サーバ５０は、アップデートデータの送信要求を受け付ける。アップデートデータの送信要求は、例えば、アップデートされるソフトウェアを識別するための識別情報を含む。この場合、サーバ５０は、識別情報によって識別されるソフトウェアに対応する最新のアップデートデータを取得し、取得したアップデートデータを要求元へ送信する。要求元は、送信されたアップデートデータを用いて、ソフトウェアのアップデートを実行する。
【００２０】
本実施形態に係るアップデート方法において、アクセサリ機器３０に導入されているソフトウェアのアップデートは、アクセサリ機器３０と携帯電話機２０との協業によって実現される。携帯電話機２０は、ステップＳ１１として、通信部６ａによる通信により、アクセサリ機器３０のアップデートに関する問い合わせをサーバ５０に対して行う。携帯電話機２０は、利用者の操作に従って問い合わせを行ってもよいし、所定の時刻に、又は所定の時間間隔で問い合わせを行ってもよい。
【００２１】
サーバ５０は、携帯電話機２０からの問い合わせを受け付けると、ステップＳ１２として、応答を携帯電話機２０へ送信する。
【００２２】
携帯電話機２０は、アクセサリ機器３０に導入されているソフトウェアの識別情報及びバージョン情報を予め記憶している。携帯電話機２０は、ステップＳ１１では、記憶している識別情報及びバージョン情報を問い合わせに含める。これにより、携帯電話機２０は、ステップＳ１２において、アクセサリ機器３０に導入されているソフトウェアのアップデートの要否を示す応答をサーバ５０から得ることができる。
【００２３】
携帯電話機２０は、ステップＳ１１で、記憶しているバージョン情報を問い合わせに含めなくてもよい。この場合、携帯電話機２０は、ステップＳ１２において、識別情報によって識別されるソフトウェアに対応する最新のアップデートデータのバージョン情報を含む応答をサーバ５０から得る。そして、携帯電話機２０は、応答されたバージョン情報を記憶しているバージョン情報と比較することにより、ソフトウェアのアップデートの要否を判定する。
【００２４】
いずれの場合においても、携帯電話機２０は、ステップＳ１２でのサーバ５０の応答に基づいて、アクセサリ機器３０に導入されているソフトウェアのアップデートの要否を判定することができる。
【００２５】
アクセサリ機器３０に導入されているソフトウェアのアップデートが必要な場合、携帯電話機２０は、アップデートが必要であることを利用者に報知し、アップデートの実行指示を待つ。例えば、ステップＳ１１での問い合わせが利用者の操作に応じて行われた場合、携帯電話機２０は、アップデートが必要であることを示すメッセージと、アップデートを実行するか否かを問い合わせるメッセージとを含む画面を表示部に表示する。例えば、ステップＳ１１での問い合わせが時間に応じて行われた場合、携帯電話機２０は、メッセージ又は記号（ピクト画像）の表示部への表示、ランプの点灯等によってアップデートが必要であることを利用者に知らせる。そして、携帯電話機２０は、アップデートの実行を指示する所定の操作が行われるのを待つ。
【００２６】
利用者により、アップデートの実行が指示されると、携帯電話機２０は、ステップＳ１３として、通信部６ｂによる近距離無線通信により、アップデートの実行を指示する要求を、アクセサリ機器３０に送信する。
【００２７】
アクセサリ機器３０は、携帯電話機２０からの要求を受信すると、ステップＳ１４として、通信部６ａによる通信により、サーバ５０にアップデートデータの送信要求を送信する。このとき、アクセサリ機器３０は、通信部６ａが停止されている場合には、通信部６ａを動作させる。通信部６ａを停止させることには、例えば、通信部６ａによる無線信号の送受信を停止させること、通信部６ａへの電力供給を遮断すること等が含まれる。通信部６ａが、音声通信、データ通信等の複数の通信をサポートしている場合、通信部６ａを停止させることには、アップデートを実行するためのデータ通信を停止させることが含まれる。
【００２８】
サーバ５０は、アクセサリ機器３０からアップデートデータの送信要求を受け付けると、ステップＳ１５として、要求されたアップデートデータをアクセサリ機器３０に送信する。アクセサリ機器３０は、通信部６ａによる通信により、アップデートデータを受信する。アクセサリ機器３０は、アップデートデータの受信が完了した後は、通信部６ａを停止させてもよい。
【００２９】
アクセサリ機器３０は、受信したアップデートデータを用いてソフトウェアのアップデートを実行する。アクセサリ機器３０は、アップデートデータの受信中及びアップデートの実行中に、進行状況についての情報を、通信部６ｂによる近距離無線通信により、携帯電話機２０に送信してもよい。これにより、携帯電話機２０は、指示されたアップデートの状況を、表示部への表示等により利用者に知らせることができる。
【００３０】
アクセサリ機器３０は、アップデートが終了すると、ステップＳ１６として、通信部６ｂによる近距離無線通信により、アップデート結果を携帯電話機２０に送信する。アップデート結果には、例えば、アップデートが成功したか否かを示す情報が含まれる。アップデート結果は、携帯電話機２０が、記憶しているバージョン情報を更新できるように、アップデート後のソフトウェアのバージョン情報を含んでもよい。
【００３１】
携帯電話機２０は、アクセサリ機器３０からアップデート結果を受信すると、表示部への表示等により、アップデート結果に含まれる情報を利用者に報知する。
【００３２】
アクセサリ機器３０は、ステップＳ１３で携帯電話機２０からの要求を受信したときに、状況に応じては、アップデートの実行が不能であることを、通信部６ｂによる近距離無線通信により、携帯電話機２０へ応答してもよい。例えば、アクセサリ機器３０は、電池に蓄えられている電力の残量が閾値よりも少ない場合、又は、通信圏外にいるために通信部６ａによる通信を行うことができない場合に、アップデートの実行が不能であることを応答する。携帯電話機２０は、アップデートの実行が不能であると応答された場合には、それを表示部への表示等により利用者に知らせる。
【００３３】
このように、本実施形態に係るアップデート方法では、アクセサリ機器３０に導入されているソフトウェアのアップデートに関連する構成が、携帯電話機２０に設けられる。具体的には、アップデートに関する問い合わせを行うための構成、利用者にアップデートに関する情報を提供するための構成、及び利用者からアップデートに関する指示を受け付けるための構成が携帯電話機２０に設けられる。このため、アクセサリ機器３０に導入されているソフトウェアのアップデートに関して、アクセサリ機器３０の構成を簡略化することができる。
【００３４】
本実施形態に係るアップデート方法では、アクセサリ機器３０は、近距離無線通信を介して携帯電話機２０から要求を受信したことを契機に、基地局９１を介した通信により、サーバ５０からアップデート情報を受信してアップデートを実行する。これにより、アクセサリ機器３０が公衆回線ネットワーク９０に常時接続していなくても、アクセサリ機器３０は、導入済みのソフトウェアのアップデートを適宜実行することができる。
【００３５】
さらに、本実施形態に係るアップデート方法では、アクセサリ機器３０は、上記のステップＳ１４〜ステップＳ１５の実行中以外は、通信部６ａを停止させておくことができる。このため、アクセサリ機器３０は、消費電力を抑制することができる。通信部６ａによる通信に料金が課金される場合には、料金を抑制することもできる。
【００３６】
次に、図２及び図３を参照しながら、図１に示した携帯電話機２０及びアクセサリ機器３０の構成について説明する。以下の説明においては、同様の構成要素に同一の符号を付すことがある。さらに、重複する説明は省略することがある。
【００３７】
図２は、携帯電話機２０のブロック図である。図２に示すように、携帯電話機２０は、表示部２と、操作部３と、電源部５と、通信部６ａと、通信部６ｂと、レシーバ７と、マイク８と、記憶部９と、制御部１０と、スピーカ１１と、振動部１５と、ランプ１６とを有する。
【００３８】
表示部２は、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）等の表示パネルを有する。表示部２は、制御部１０から入力される信号に応じて、文字、図形、画像等の情報を表示する。表示部２が表示する情報には、報知のための画面、アイコン等が含まれる。
【００３９】
操作部３は、利用者の操作を受け付けるための１ないし複数のデバイスを有する。利用者の操作を受け付けるためのデバイスは、例えば、キー、ボタン等を含む。操作部３は、受け付けた操作に応じた信号を制御部１０へ入力する。
【００４０】
電源部５は、蓄電池等の電池を有する。電源部５は、電池から得られる電力を、制御部１０を含む携帯電話機２０の各機能部へ供給する。
【００４１】
通信部６ａは、中継器を介して行われる第１の通信方式で通信を行う通信部である。本実施形態において、第１の通信方式は、基地局９１及び公衆回線ネットワーク９０を介して通信を行うための２Ｇ、３Ｇ、４Ｇ等の通信方式である。基地局９１及び公衆回線ネットワーク９０を介して通信を行うための通信規格には、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等が含まれる。第１の通信方式は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のように基地局９１及び公衆回線ネットワーク９０を介してデータ通信を行うための通信方式であってもよい。通信部６ａは、基地局９１及び公衆回線ネットワーク９０を介して通信を行うための複数の通信方式をサポートしてもよい。
【００４２】
通信部６ｂは、中継器を介さずに行われる第２の通信方式で通信を行う通信部である。本実施形態において、第２の通信方式は、近距離無線通信方式である。近距離無線通信方式には、Ｂｌｕｅｔｏｏｔｈ（登録商標）、ＺｉｇＢｅｅ、赤外線通信、可視光通信、ＮＦＣ（Ｎｅａｒ  Ｆｉｅｌｄ  Ｃｏｍｍｕｎｉｃａｔｉｏｎ）等が含まれる。通信部６ｂは、複数の近距離無線通信方式をサポートしてもよい。
【００４３】
レシーバ７及びスピーカ１１は、音出力部である。レシーバ７及びスピーカ１１は、制御部１０から入力される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換して制御部１０へ入力する。
【００４４】
記憶部９は、プログラム及びデータを記憶する。記憶部９は、制御部１０の処理結果を一時的に記憶する作業領域としても利用される。記憶部９は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、メモリカード、光ディスク、又は光磁気ディスク等の可搬の記憶媒体と、記憶媒体の読み取り装置との組み合わせを含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４５】
記憶部９は、例えば、制御プログラム９ａ及びアクセサリ機器情報９ｂを記憶する。制御プログラム９ａは、携帯電話機２０を稼働させるための各種制御に関する機能を提供する。制御プログラム９ａが提供する機能には、携帯電話機２０と組み合わせて利用されるアクセサリ機器（本実施形態では、アクセサリ機器３０）に導入されているソフトウェアをアップデートするための制御に関する機能が含まれる。
【００４６】
アクセサリ機器情報９ｂは、携帯電話機２０と組み合わせて利用されるアクセサリ機器（本実施形態では、アクセサリ機器３０）に関する情報を保持する。アクセサリ機器情報９ｂに保持される情報には、組み合わせて利用されるアクセサリ機器３０に導入されているソフトウェアの識別情報及びバージョン情報が含まれる。アクセサリ機器情報９ｂは、複数のソフトウェアの識別情報及びバージョン情報を保持してもよい。アクセサリ機器情報９ｂは、複数のアクセサリ機器に関する情報を保持してもよい。
【００４７】
携帯電話機２０は、携帯電話機２０と組み合わせて利用されるアクセサリ機器３０に対して、アクセサリ機器３０にインストールされているソフトウェアに関する情報を、通信部６ｂによる通信によって問い合わせ、それによってアクセサリ機器情報９ｂをメンテナンスしてもよい。問い合わせは、例えば、予め設定された時刻に、又は予め設定された時間間隔で実行される。
【００４８】
制御部１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部１０は、携帯電話機２０の動作を統括的に制御して各種の機能を実現する。
【００４９】
具体的には、制御部１０は、記憶部９に記憶されているデータを必要に応じて参照しつつ、記憶部９に記憶されているプログラムに含まれる命令を実行する。そして、制御部１０は、データ及び命令に応じて機能部を制御し、それによって各種機能を実現する。機能部は、例えば、表示部２、通信部６ａ及び６ｂ、レシーバ７、スピーカ１１、振動部１５、及びランプ１６を含むが、これらに限定されない。制御部１０は、検出部の検出結果に応じて、制御を変更することがある。検出部は、例えば、操作部３、通信部６ａ及び６ｂ、及びマイク８を含むが、これらに限定されない。
【００５０】
制御部１０は、制御プログラム９ａを実行することにより、図１に示したアップデート方法における携帯電話機２０の動作を実行する。
【００５１】
振動部１５は、携帯電話機２０を振動させる。振動部１５は、携帯電話機２０を振動させるために、例えば、圧電素子、又は偏心モータを用いる。ランプ１６は、設定された色及びパターンで発光する。ランプ１６は、ＬＥＤ（Ｌｉｇｈｔ  Ｅｍｉｔｔｉｎｇ  Ｄｉｏｄｅ）等の光源を有し、光源の発する光が外部から視認できるように携帯電話機２０に搭載される。スピーカ１１、振動部１５及びランプ１６は、電話の着信、メールの受信、スケジュールに登録された時刻の到来等を利用者に報知するために用いられる。
【００５２】
図３は、アクセサリ機器３０のブロック図である。図３に示すように、アクセサリ機器３０は、操作部３と、電源部５と、通信部６ａと、通信部６ｂと、レシーバ７と、マイク８と、記憶部９と、制御部１０と、スピーカ１１と、振動部１５と、ランプ１６とを有する。
【００５３】
記憶部９は、アクセサリ機器３０に導入されている各種のソフトウェアを記憶する。記憶部９は、例えば、制御プログラム９ｃ及びソフトウェア情報９ｄを記憶する。制御プログラム９ｃは、アクセサリ機器３０を稼働させるための各種制御に関する機能を提供する。制御プログラム９ｃが提供する機能には、アクセサリ機器３０に導入されているソフトウェアをアップデートするための制御に関する機能が含まれる。
【００５４】
ソフトウェア情報９ｄは、アクセサリ機器３０に導入されているソフトウェア毎に、識別情報及びバージョン情報を保持する。
【００５５】
制御部１０は、制御プログラム９ｃを実行することにより、図１に示したアップデート方法におけるアクセサリ機器３０の動作を実行する。
【００５６】
図３では、アクセサリ機器３０が、表示部２を備えない構成を示したが、アクセサリ機器３０の構成はこれに限定されない。アクセサリ機器３０は、少なくとも通信部６ａ及び通信部６ｂを備えるが、図３に示した他の要素のうち、アクセサリ機器３０の用途に必要ない要素を備えなくてもよい。例えば、アクセサリ機器３０は、利用者に対する報知を行わない場合、振動部１５及びランプ１６を備えなくてもよい。例えば、アクセサリ機器３０は、通話に用いられない場合、レシーバ７及びマイク８を備えなくてもよい。アクセサリ機器３０は、表示部２を備えてもよい。
【００５７】
次に、図４を参照しながら、図１に示したアップデート方法における携帯電話機２０の処理手順について説明する。図４は、図１に示したアップデート方法における携帯電話機２０の処理手順を示すフローチャートである。図４に示す処理手順は、例えば、利用者がアクセサリ機器３０に導入されているソフトウェアのアップデートを指示する操作を行った場合、所定の時刻になった場合、又は所定の時間間隔が経過した場合に実行される。
【００５８】
図４に示すように、携帯電話機２０の制御部１０は、ステップＳ１０１として、通信部６ａによる基地局９１を介した通信により、アクセサリ機器３０のアップデートに関する問い合わせをサーバ５０に送信する。例えば、制御部１０は、アクセサリ機器情報９ｂからアクセサリ機器３０に導入されているソフトウェアの識別情報を取得し、取得した識別情報を含む問い合わせをサーバ５０に送信する。
【００５９】
制御部１０は、ステップＳ１０２として、サーバ５０から応答を受信したか判定する。応答を受信していない場合（ステップＳ１０２，Ｎｏ）、制御部１０は、ステップＳ１０２の判定を再び行う。応答を受信している場合（ステップＳ１０２，Ｙｅｓ）、制御部１０は、ステップＳ１０３に進む。
【００６０】
制御部１０は、ステップＳ１０３として、アップデートが必要か否かを判定する。例えば、制御部１０は、応答に含まれるバージョン情報とアクセサリ機器情報９ｂに含まれるバージョン情報とを比較し、応答に含まれるバージョン情報の方が新しい場合、アップデートが必要であると判定する。
【００６１】
アップデートが必要ではない場合（ステップＳ１０４，Ｎｏ）、制御部１０は、本処理手順を終了する。この場合、制御部１０は、アップデートが不要であることを利用者に報知してもよい。
【００６２】
アップデートが必要である場合（ステップＳ１０４，Ｙｅｓ）、制御部１０は、ステップＳ１０５に進む。制御部１０は、ステップＳ１０５として、アクセサリ機器３０に導入されているソフトウェアのアップデートが必要であることを示す情報を表示部２に表示する。そして、制御部１０は、ステップＳ１０６として、アップデートの実行を指示する操作が行われたかを判定する。
【００６３】
アップデートの実行が指示されない場合（ステップＳ１０６，Ｎｏ）、制御部１０は、ステップＳ１０６の判定を再び行う。制御部１０は、ステップＳ１０６の判定が予め設定された期間よりも継続した場合、すなわち、予め設定された期間内にアップデートの実行が指示されない場合、本処理手順を終了してもよい。制御部１０は、ステップＳ１０６の判定中に、アップデートの実行の中止を指示する操作が行われた場合に、本処理手順を終了してもよい。
【００６４】
アップデートの実行が指示された場合（ステップＳ１０６，Ｙｅｓ）、制御部１０は、ステップＳ１０７に進む。制御部１０は、ステップＳ１０７として、通信部６ｂによる近距離無線通信により、アップデートの実行を指示する要求を、アクセサリ機器３０に送信する。そして、制御部１０は、ステップＳ１０８として、近距離無線通信により、アクセサリ機器３０からアップデート結果を受信したかを判定する。アップデート結果を受信していない場合（ステップＳ１０８，Ｎｏ）、制御部１０は、ステップＳ１０８の判定を再び行う。アップデート結果を受信した場合（ステップＳ１０８，Ｙｅｓ）、制御部１０は、ステップＳ１０９に進む。制御部１０は、ステップＳ１０９として、受信したアップデート結果を利用者に報知し、本処理手順を終了する。
【００６５】
次に、図５を参照しながら、図１に示したアップデート方法におけるアクセサリ機器３０の処理手順について説明する。図５は、図１に示したアップデート方法におけるアクセサリ機器３０の処理手順の例を示すフローチャートである。図５に示す処理手順は、携帯電話機２０及びアクセサリ機器３０の間で近距離無線通信が可能な場合に、繰り返して実行される。図５に示す処理手順は、アクセサリ機器３０が平常時は通信部６ａを停止させるように構成されている場合の処理手順である。
【００６６】
図５に示すように、アクセサリ機器３０の制御部１０は、ステップＳ２０１として、通信部６ｂによる近距離無線通信により、携帯電話機２０からアップデートの実行を指示する要求を受信したかを判定する。要求を受信していない場合（ステップＳ２０１，Ｎｏ）、制御部１０は、ステップＳ２０１の判定を再び行う。要求を受信している場合（ステップＳ２０１，Ｙｅｓ）、制御部１０は、ステップＳ２０２に進む。
【００６７】
制御部１０は、ステップＳ２０２として、通信部６ａを動作させる。具体的には、制御部１０は、基地局９１及び公衆回線ネットワーク９０を介した他の通信機器との通信を可能にする。そして、制御部１０は、ステップＳ２０３として、通信部６ａによる通信により、サーバ５０にアップデートデータの送信要求を送信する。
【００６８】
続いて、制御部１０は、ステップＳ２０４として、サーバ５０からアップデートデータを受信したかを判定する。アップデートデータを受信していない場合（ステップＳ２０４，Ｎｏ）、制御部１０は、ステップＳ２０４の判定を再び行う。
【００６９】
アップデートデータを受信している場合（ステップＳ２０４，Ｙｅｓ）、制御部１０は、ステップＳ２０５に進む。制御部１０は、ステップＳ２０５として、受信したアップデートデータを用いてソフトウェアのアップデートを実行する。
【００７０】
続いて、制御部１０は、ステップＳ２０６として、通信部６ｂによる近距離無線通信により、アップデート結果を携帯電話機２０に送信する。そして、制御部１０は、ステップＳ２０７として、通信部６ａを停止させ、本処理手順を終了する。
【００７１】
（第２の実施形態）
図６を参照しながら、第２の実施形態に係るアップデート方法について説明する。図６は、第２の実施形態に係るアップデート方法の例を示す図である。図６に示すように、通信システム１は、上記の携帯電話機２０及びアクセサリ機器３０を含む。以下の説明においては、第２の実施形態に係る通信システム１及びサーバ５０の基本構成は、第１の実施形態と同一の構成である。さらに、第１の実施形態と重複する説明は省略することがある。
【００７２】
本実施形態に係るアップデート方法において、アクセサリ機器３０に導入されているソフトウェアのアップデートは、アクセサリ機器３０と携帯電話機２０との協業によって実現される。携帯電話機２０は、ステップＳ２１として、通信部６ｂによる近距離無線通信により、アップデートに関する問い合わせの実行を指示する要求を、アクセサリ機器３０に送信する。携帯電話機２０は、利用者の操作に従って要求を行ってもよいし、所定の時刻に、又は所定の時間間隔で要求を行ってもよい。
【００７３】
アクセサリ機器３０は、携帯電話機２０から要求を受信すると、ステップＳ２２として、通信部６ａによる通信により、アクセサリ機器３０のアップデートに関する問い合わせをサーバ５０に送信する。このとき、アクセサリ機器３０は、通信部６ａが停止されている場合には、通信部６ａを動作させる。
【００７４】
サーバ５０は、アクセサリ機器３０からの問い合わせを受け付けると、ステップＳ２３として、応答をアクセサリ機器３０へ送信する。
【００７５】
アクセサリ機器３０は、サーバ５０から応答を受信すると、導入されているソフトウェアのアップデートの要否を判定する。例えば、アクセサリ機器３０は、応答されたバージョン情報を記憶しているバージョン情報と比較することにより、アップデートの要否を判定する。アクセサリ機器３０は、ステップＳ２４として、通信部６ｂによる近距離無線通信により、アップデートの要否を示す要否情報を携帯電話機２０に送信する。
【００７６】
携帯電話機２０は、アクセサリ機器３０から要否情報を受信すると、表示部２への表示等により、アップデートの要否を利用者に報知する。そして、携帯電話機２０は、アップデートの実行を指示する所定の操作が行われるのを待つ。
【００７７】
利用者により、アップデートの実行が指示されると、携帯電話機２０は、ステップＳ２５として、通信部６ｂによる近距離無線通信により、アップデートの実行を指示する要求をアクセサリ機器３０に送信する。
【００７８】
アクセサリ機器３０は、携帯電話機２０からの要求を受信すると、ステップＳ２６として、通信部６ａによる通信により、サーバ５０にアップデートデータの送信要求を送信する。
【００７９】
サーバ５０は、アクセサリ機器３０からアップデートデータの送信要求を受け付けると、ステップＳ２７として、要求されたアップデートデータをアクセサリ機器３０に送信する。アクセサリ機器３０は、通信部６ａによる通信により、アップデートデータを受信する。アクセサリ機器３０は、アップデートデータの受信が完了した後は、通信部６ａを停止させてもよい。
【００８０】
アクセサリ機器３０は、受信したアップデートデータを用いてソフトウェアのアップデートを実行する。アクセサリ機器３０は、アップデートデータの受信中及びアップデートの実行中に、進行状況についての情報を、通信部６ｂによる近距離無線通信により、携帯電話機２０に送信してもよい。
【００８１】
アクセサリ機器３０は、アップデートが終了すると、ステップＳ２８として、通信部６ｂによる近距離無線通信により、アップデート結果を携帯電話機２０に送信する。
【００８２】
携帯電話機２０は、アクセサリ機器３０からアップデート結果を受信すると、表示部２への表示等により、アップデート結果に含まれる情報を利用者に報知する。
【００８３】
このように、本実施形態に係るアップデート方法では、アクセサリ機器３０に導入されているソフトウェアのアップデートに関連する構成が、携帯電話機２０に設けられる。具体的には、アップデートに関する問い合わせの開始を指示するための構成、利用者にアップデートに関する情報を提供するための構成、及び利用者からアップデートに関する指示を受け付けるための構成が携帯電話機２０に設けられる。このため、アクセサリ機器３０に導入されているソフトウェアのアップデートに関して、アクセサリ機器３０の構成を簡略化することができる。
【００８４】
本実施形態に係るアップデート方法では、アクセサリ機器３０は、近距離無線通信を介して携帯電話機２０から要求を受信したことを契機に、基地局９１を介した通信により、サーバ５０に対してアップデートに関する問い合わせ及び要求を実行する。これにより、アクセサリ機器３０が公衆回線ネットワーク９０に常時接続していなくても、アクセサリ機器３０は、導入済みのソフトウェアのアップデートを適宜実行することができる。
【００８５】
さらに、本実施形態に係るアップデート方法では、アクセサリ機器３０は、上記のステップＳ２２〜ステップＳ２３及びステップＳ２６〜ステップＳ２７の実行中以外は、通信部６ａを停止させておくことができる。このため、アクセサリ機器３０は、消費電力を抑制することができる。通信部６ａによる通信に料金が課金される場合には、料金を抑制することもできる。
【００８６】
次に、図７を参照しながら、図６に示したアップデート方法における携帯電話機２０の処理手順について説明する。図７は、図６に示したアップデート方法における携帯電話機２０の処理手順の例を示すフローチャートである。図７に示す処理手順は、例えば、利用者がアクセサリ機器３０に導入されているソフトウェアのアップデートを指示する操作を行った場合、所定の時刻になった場合、又は所定の時間間隔が経過した場合に実行される。
【００８７】
図７に示すように、携帯電話機２０の制御部１０は、ステップＳ３０１として、通信部６ｂによる近距離無線通信により、アップデートに関する問い合わせの実行を指示する要求をアクセサリ機器３０に送信する。制御部１０は、ステップＳ３０２として、問い合わせ結果に基づいて判定された、アップデートの要否の判定結果をアクセサリ機器３０から受信したか否かを判定する。判定結果を受信していない場合（ステップＳ３０２，Ｎｏ）、制御部１０は、ステップＳ３０２の判定を再び行う。
【００８８】
判定結果を受信した場合（ステップＳ３０２，Ｙｅｓ）、制御部１０は、ステップＳ３０３に進む。制御部１０は、ステップＳ３０３として、判定結果はアップデートが必要であることを示しているか否かを判定する。アップデートが必要ではない場合（ステップＳ３０３，Ｎｏ）、制御部１０は、本処理手順を終了する。この場合、制御部１０は、アップデートが不要であることを利用者に報知してもよい。
【００８９】
アップデートが必要である場合（ステップＳ３０３，Ｙｅｓ）、制御部１０は、ステップＳ３０４に進む。制御部１０は、ステップＳ３０４として、アクセサリ機器３０に導入されているソフトウェアのアップデートが必要であることを示す情報を表示部２に表示する。そして、制御部１０は、ステップＳ３０５として、アップデートの実行を指示する操作が行われたかを判定する。
【００９０】
アップデートの実行が指示されない場合（ステップＳ３０５，Ｎｏ）、制御部１０は、ステップＳ３０５の判定を再び行う。制御部１０は、ステップＳ３０５の判定が予め設定された期間よりも継続した場合、本処理手順を終了してもよい。制御部１０は、ステップＳ３０５の判定中に、アップデートの実行の中止を指示する操作が行われた場合に、本処理手順を終了してもよい。
【００９１】
アップデートの実行が指示された場合（ステップＳ３０５，Ｙｅｓ）、制御部１０は、ステップＳ３０６に進む。制御部１０は、ステップＳ３０６として、通信部６ｂによる近距離無線通信により、アップデートの実行を指示する要求を、アクセサリ機器３０に送信する。そして、制御部１０は、ステップＳ３０７として、近距離無線通信により、アクセサリ機器３０からアップデート結果を受信したかを判定する。アップデート結果を受信していない場合（ステップＳ３０７，Ｎｏ）、制御部１０は、ステップＳ３０７の判定を再び行う。アップデート結果を受信した場合（ステップＳ３０７，Ｙｅｓ）、制御部１０は、ステップＳ３０８に進む。制御部１０は、ステップＳ３０８として、受信したアップデート結果を利用者に報知し、本処理手順を終了する。
【００９２】
次に、図８を参照しながら、図６に示したアップデート方法におけるアクセサリ機器３０の処理手順について説明する。図８は、図６に示したアップデート方法におけるアクセサリ機器３０の処理手順の例を示すフローチャートである。図８に示す処理手順は、携帯電話機２０及びアクセサリ機器３０の間で近距離無線通信が可能な場合に、繰り返して実行される。図８に示す処理手順は、アクセサリ機器３０が平常時は通信部６ａを停止させるように構成されている場合の処理手順である。
【００９３】
図８に示すように、アクセサリ機器３０の制御部１０は、ステップＳ４０１として、通信部６ｂによる近距離無線通信により、携帯電話機２０から、アップデートに関する問い合わせの実行を指示する要求を受信したかを判定する。要求を受信していない場合（ステップＳ４０１，Ｎｏ）、制御部１０は、ステップＳ４０１の判定を再び行う。アップデートの要求を受信している場合（ステップＳ４０１，Ｙｅｓ）、制御部１０は、ステップＳ４０２に進む。
【００９４】
制御部１０は、ステップＳ４０２として、通信部６ａを動作させる。具体的には、制御部１０は、基地局９１及び公衆回線ネットワーク９０を介した他の通信機器との通信を可能にする。そして、制御部１０は、ステップＳ４０３として、通信部６ａによる通信により、アクセサリ機器３０のアップデートに関する問い合わせをサーバ５０に送信する。例えば、制御部１０は、ソフトウェア情報９ｄからアクセサリ機器３０に導入されているソフトウェアの識別情報を取得し、取得した識別情報を含む問い合わせをサーバ５０に送信する。
【００９５】
制御部１０は、ステップＳ４０４として、サーバ５０から応答を受信したか判定する。応答を受信していない場合（ステップＳ４０４，Ｎｏ）、制御部１０は、ステップＳ４０４の判定を再び行う。応答を受信している場合（ステップＳ４０４，Ｙｅｓ）、制御部１０は、ステップＳ４０５に進む。
【００９６】
制御部１０は、ステップＳ４０５として、アップデートが必要か否かを判定する。例えば、制御部１０は、応答に含まれるバージョン情報とソフトウェア情報９ｄに含まれるバージョン情報とを比較し、応答に含まれるバージョン情報の方が新しい場合、アップデートが必要であると判定する。そして、制御部１０は、ステップＳ４０６として、通信部６ｂによる近距離無線通信により、ステップＳ４０５の判定結果を携帯電話機２０に送信する。
【００９７】
続いて、制御部１０は、ステップＳ４０７として、通信部６ｂによる近距離無線通信により、携帯電話機２０からアップデートの実行を指示する要求を受信したかを判定する。要求を受信していない場合（ステップＳ４０７，Ｎｏ）、制御部１０は、ステップＳ４０７の判定を再び行う。要求を受信している場合（ステップＳ４０７，Ｙｅｓ）、制御部１０は、ステップＳ４０８に進む。
【００９８】
制御部１０は、ステップＳ４０８として、通信部６ａによる通信により、サーバ５０にアップデートデータの送信要求を送信する。
【００９９】
続いて、制御部１０は、ステップＳ４０９として、サーバ５０からアップデートデータを受信したかを判定する。アップデートデータを受信していない場合（ステップＳ４０９，Ｎｏ）、制御部１０は、ステップＳ４０９の判定を再び行う。
【０１００】
アップデートデータを受信している場合（ステップＳ４０９，Ｙｅｓ）、制御部１０は、ステップＳ４１０に進む。制御部１０は、ステップＳ４１０として、受信したアップデートデータを用いてソフトウェアのアップデートを実行する。
【０１０１】
続いて、制御部１０は、ステップＳ４１１として、通信部６ｂによる近距離無線通信により、アップデート結果を携帯電話機２０に送信する。そして、制御部１０は、ステップＳ４１２として、通信部６ａを停止させ、本処理手順を終了する。
【０１０２】
図８に示す処理手順では、ステップＳ４０７において、携帯電話機２０からアップデートの実行を指示する要求を受信したと判定した場合に、アップデートデータの送信要求をサーバ５０に送信する例について説明した。しかしながら、アクセサリ機器３０の処理手順は、これに限定されない。例えば、アクセサリ機器３０は、ステップＳ４０５の判定結果が、アップデートが必要であるかを判定し、必要である場合に、ステップＳ４０６及びステップＳ４０７を実行せずにサーバ５０に対して送信要求を送信するように構成されてもよい。
【０１０３】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【０１０４】
例えば、図２及び図３に示した各プログラムは、複数のモジュールに分割されていてもよいし、他のプログラムと結合されていてもよい。
【０１０５】
上記の実施形態では、導入しているソフトウェアをアップデートする電子機器の例として、アクセサリ機器３０について説明した。しかしながら、導入しているソフトウェアをアップデートする電子機器は、アクセサリ機器３０に限定されない。導入しているソフトウェアをアップデートする電子機器は、携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。導入しているソフトウェアをアップデートする電子機器は、携帯電子機器以外の電子機器であってもよい。
【０１０６】
上記の実施形態では、導入しているソフトウェアをアップデートする電子機器と組み合わせて利用される電子機器の例として、携帯電話機２０について説明した。しかしながら、導入しているソフトウェアをアップデートする電子機器と組み合わせて利用される電子機器は、携帯電話機２０に限定されない。導入しているソフトウェアをアップデートする電子機器と組み合わせて利用される電子機器は、携帯電子機器であってもよいし、携帯電子機器以外の電子機器であってもよい。
【０１０７】
上記の実施形態では、第１の通信方式の例として、中継器を介して通信が行われる通信方式について説明し、第２の通信方式の例として、中継器を介さずに通信が行われる通信方式について説明した。しかしながら、第１の通信方式及び第２の通信方式は、これらに限定されない。第１の通信方式は、アップデートデータを管理するサーバと通信を行うことができる如何なる通信方式であってもよい。第２の通信方式は、導入しているソフトウェアをアップデートする電子機器と、この電子機器と組み合わせて利用される電子機器との間で通信を行うことができる如何なる通信方式であってもよい。
【０１０８】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【０１０９】
１  通信システム
２  表示部
３  操作部
５  電源部
６ａ、６ｂ  通信部
７  レシーバ
８  マイク
９  記憶部
９ａ、９ｃ  制御プログラム
９ｂ  アクセサリ機器情報
９ｄ  ソフトウェア情報
１０  制御部
１１  スピーカ
１５  振動部
１６  ランプ
２０  携帯電話機
３０  アクセサリ機器
５０  サーバ
９０  公衆回線ネットワーク
９１  基地局
【図１】
2014115717.tif 000003
【図２】
2014115717.tif 000004
【図３】
2014115717.tif 000005
【図４】
2014115717.tif 000006
【図５】
2014115717.tif 000007
【図６】
2014115717.tif 000008
【図７】
2014115717.tif 000009
【図８】
2014115717.tif 000010